(57)【要約】【課題】光量調節装置を構成する駆動ユニットと絞り地板とを、浮きが生じないように、最低１本のビスを使用して取り付ける。また、絞り地板に対する駆動ユニットの回転を許容して、取り付け位置の調整を容易にする。【解決手段】モータ(１２)と、このモータから駆動力を受けて動作することにより光通過量を調節する遮光羽根(５１)と、モータ及び遮光羽根を支持する絞り地板(１５)と、モータに固定され、絞り地板にビス止めされるビス止め部(１３ａ)が形成されたフランジ(１３)とを有し、フランジにおけるビス止め部とは異なる位置に当接部(１３ｂ)を設け、絞り地板に当接部が差し込まれてフランジを保持する腕部(１５ｄ)を設けた。【選択図】  図２
2004191772.tif 000002
【特許請求の範囲】
【請求項１】
モータと、
このモータから駆動力を受けて動作することにより光通過量を調節する遮光羽根と、
前記モータ及び前記遮光羽根を支持する支持部材と、
前記モータに固定され、前記支持部材にビス止めされるビス止め部が形成された取付板とを有し、
前記取付板における前記ビス止め部とは異なる位置に延長部を設け、前記支持部材に前記延長部が差し込まれて前記取付板を保持する差込部を設けたことを特徴とする光量調節装置。
【請求項２】
前記差込部は、前記取付板のビス止め部を中心として回転調整を許容する形状を有する差込部であることを特徴とする請求項１記載の光量調節装置。
【請求項３】
請求項１又は２に記載の光量調節装置を備えたことを特徴とするレンズ鏡筒。
【請求項４】
請求項１又は２に記載の光量調節装置を備えたことを特徴とする光学機器。
【発明の詳細な説明】
【０００１】
【発明の属する技術分野】
本発明は、遮光羽根を動作させることにより光通過量を変化させる光量調節装置、レンズ鏡筒及び光学機器に関する。
【０００２】
【従来の技術】
従来、カメラのレンズ鏡筒に組み込まれる光量調節装置は、図９に示すように駆動ユニット１０１と絞り地板１０５とを２つのビス１０４を介して固定することで構成されている。２つのビス１０４は、駆動ユニット１０１のフランジ１０３に形成されたビス穴部１０３ａを貫通して絞り地板１０５に形成されたビス穴部１０５ａにネジ止めされる。
【０００３】
また、図１０に示すように、１つのビス１０４を用いて駆動ユニット１０１および絞り地板１０５を固定している光量調節装置がある。この光量調節装置においては、フランジ１０３が曲げ形成されている。そして、駆動ユニット１０１の軸受け部１１１を絞り地板１０５の嵌合穴部１０５ｂに挿入させるとともに、ビス１０４をビス穴部１０３ａ、１０５ａにねじ込むことにより、駆動ユニット１０１を絞り地板１０５に固定することができる。
【０００４】
ここで、フランジ１０３は曲げ形成されているため、ビス１０４のねじ込みにより、フランジ１０３は絞り地板１０５の平面に沿って変形する。このとき、フランジ１０３および絞り地板１０５は、フランジ１０３の変形力を受けて密接し、フランジ１０３のうちビス１０４の取り付け位置（ビス穴部１０３ａ）と対向する部分の浮きが防止される。
【０００５】
さらに、１つのビスを用いて駆動ユニットおよび絞り地板を固定する光量調節装置には、図１０に示す構成のものがある。
【０００６】
図１１(ｂ)と図１１（ｃ）には、それぞれ形状を異にした絞り地板１０５が示されている。図１１（ｂ）に示す絞り地板１０５は、そのフランジ取り付け面１０５ｃに凸部１０５ｄを有しており、図１１（ｃ）に示す絞り地板１０５は、そのフランジ取り付け面１０５ｃの端部に傾斜面１０５ｅを有している。フランジ取り付け面１０５ｅを有する絞り地板１０５を示している。これらの絞り地板１０５には、図１１（ａ）に示す駆動ユニット１０１がビス１０４によりビス止めされている。
【０００７】
ここで、フランジ取付け面１０５ｃには、ビス穴部１０５ａの近傍に凸部１０５ｄや傾斜面１０５ｅが形成されているため、ビス１０４をビス穴部１０５ａにねじ込みことにより、フランジ１０３が凸部１０５ｄや傾斜面１０５ｅに沿って変形する。このフランジ１０３の変形により、フランジ１０３および絞り地板１０５が密接するため、フランジ１０３のうちビス１０４の取り付け位置（ビス穴部１０３ａ）と対向する部分の浮きが防止される。
【０００８】
【発明が解決しようとする課題】
上述した光量調節装置の構造では、駆動ユニット１０１のシャフト１１２にレバー又はギヤ等を取り付け、レバー又はギヤ等の回転運動により、絞り地板１０５に設けられた複数の絞り羽根を開閉駆動している。そして、絞り羽根を輝通過口内に進退させることにより光量を制御している。
【０００９】
このような構造では、レバー又はギヤ等の取り付け位置の精度を、厳密にするとともに、光量の規格から外れた場合には、駆動ユニット１を絞り地板に対して回転させて調整する必要がある。
【００１０】
ここで、ビス１０４のねじ込みによりフランジ１０３を変形させて、駆動ユニット１０１を絞り地板１０５に固定する構造において、駆動ユニット１０１の回転調整を行う場合、フランジ１０３が変形しているために、駆動ユニット１０１を微小に回転調整することが困難である。
【００１１】
そこで、本発明は、光量調節装置を構成する駆動ユニットと絞り地板とを、浮きが生じないように、最低１本のビスを使用して取り付けることを目的とする。また、絞り地板に取り付けられた駆動ユニットの回転を許容して、取り付け位置の調整を容易にすることを目的とする。
【００１２】
【課題を解決するための手段】
上記課題を解決するために、本発明の光量調節装置は、モータと、このモータから駆動力を受けて動作することにより光通過量を調節する遮光羽根と、モータ及び遮光羽根を支持する支持部材と、モータに固定され、支持部材にビス止めされるビス止め部が形成された取付板とを有し、取付板におけるビス止め部とは異なる位置に延長部を設け、支持部材に延長部が差し込まれて取付板を保持する差込部を設けたことを特徴とする。
【００１３】
また、差込部の形状を、取付板のビス止め部を中心として回転調整を許容する形状にしてもよい。
【００１４】
上記の光量調節装置は、レンズ鏡筒や光学機器に備え付けることができる。
【００１５】
【発明の実施の形態】
（第１実施形態）
図１には、本実施形態のカメラの正面斜視図が示されている。同図において、１はカメラ本体であり、カメラ本体１の前面中央には光軸方向に進退してズーミング及びフォーカシングを行うレンズ鏡筒２が設けられている。レンズ鏡筒２には、図１では図示しない光量調節装置が設けられている。この光量調節装置は、複数の遮光羽根５１を備えており、これらの遮光羽根５１が光通過口５２に対して進退することにより光通過口５２の開口面積を変化させて光量を調節するものである。
【００１６】
カメラ本体１の上面には、撮影準備動作（焦点調節動作および測光動作）および撮影動作（フィルムやＣＣＤ等の撮像素子への露光）を開始させるためのレリーズボタン３が設けられている。カメラ本体１の前面のうち、向かって右側上部には被写体に照明光を照射するストロボ４が、ストロボ４の左側には被写体輝度を測定(測光)するための測光部５が、測光部５の左側には被写体像を観察するためのファインダ６がそれぞれ設けられている。
【００１７】
次に、図２から図７を用いて光量調節装置について説明する。ここで、図２は、光量調節装置の分解斜視図であり、図３は絞り地板１５(支持部材)の正面図（ａ）および側面図（ｂ）である。図４は、絞り地板１５の斜視図であり、図５は、駆動ユニット１１を絞り地板１５に取り付ける際の説明図である。図６は、駆動ユニット１１の側面図であり、図７は駆動ユニット１１の上面図である。
【００１８】
１１は駆動ユニットであり、ステッピングモータ１２およびフランジ１３(取付板)で構成されている。ここで、ステッピングモータ１２は、遮光羽根５１に駆動力を供給する駆動源であり、フランジ１３を介して絞り地板１５に取り付けられている。ステッピングモータ１２の先端部には、絞り地板１５に設けられた嵌合穴部１５ｂに差し込まれる出力軸１２ａが突出して設けられている。穴部１５ｂに差し込まれた出力軸１２ａを回転駆動されると、この出力軸１２ａに接続されたリング部材(不図示)が光軸周りに回転し、このリング部材に形成された案内溝(不図示)との係合作用により、遮光羽根５１が光通過口５２に対して進退することで光通過口５２の開口面積を変化させる（光量調節）。
【００１９】
絞り地板１５には、ビス１４がねじ込まれるビス穴部１５ａと、駆動ユニット１１の出力軸１２ａ及び軸受部１２ｂが嵌合する上述の嵌合穴部１５ｂと、腕部１５ｄとが設けられている。
【００２０】
腕部１５ｄは、嵌合穴部１５ｂを挟んでビス穴部１５ａと対向する位置に形成されており、この先端１５ｅがフランジ取付け面１５ｃを含む平面に向かって突出している。ここで、腕部１５ｄの先端１５ｅとフランジ取付け面１５ｃを含む平面との距離（図３（ｂ）中のＡ）は、フランジ１３の厚みと略等しくなっている。また、腕部１５ｄの基端部側と、フランジ取付け面１５ｃを含む平面との距離は、フランジ１３の厚みよりも大きくなっている。
【００２１】
上述したように腕部１５ｄの先端１５ｅをフランジ取付け面１５ｃを含む平面に向かって突出させ、この平面との距離をフランジ１３の厚みと略等しくすることにより、腕部１５ｄの先端１５ｅをフランジ１３に当接させてフランジ１３を確実に押さえるようにしている。ここで、腕部１５ｄの基端部側は、フランジ１３に当接しないようになっている。これは、フランジ１３が腕部１５ｄの基端部側で当接するようにすると（腕部１５ｄの基端部側の厚みを大きくする）、腕部１５ｄの変形により、腕部１５ｄの先端側がフランジ１３から離れてしまい、フランジ１３を十分に押さえることができなくなってしまうからである。
【００２２】
上述した構成において、駆動ユニット１１を絞り地板１５に取り付ける方法について図５を用いて説明する。
【００２３】
図５において、まず駆動ユニット１１の軸受け部１２ｂ（図６）を、絞り地板１５の嵌合穴部１５ｂに挿入し、フランジ１３と絞り地板１５のフランジ取付け面１５ｃとを当接させる
（図５（ｂ））。そして、駆動ユニット１１を絞り地板１５に対して回転させることにより、フランジ１３の一端である当接部１３ｂ(延長部)を、腕部１５ｄとフランジ取付け面１５ｃを含む平面との間(差込部)に滑り込ませる（図５（ｃ））。
【００２４】
また、フランジ１３に形成されたビス止め部１３ａと、絞り地板１５に形成されたビス穴部１５ａとが重なるように位置合わせを行った後、ビス１４をビス止め部１３ａ及びビス穴部１５ａにねじ込むことにより、駆動ユニット１１を絞り地板１５に固定する。
【００２５】
ここで、ビス１４をビス止め部１３ａ及びビス穴部１５ａにねじ込むと、フランジ１３が煽られてフランジ１３の当接部１３ｂ側がフランジ取付け面１５ｃから浮き上がることがある。しかし、本実施形態では、当接部１３ｂが浮き上がる位置に腕部１５ｄが設けられているため、この腕部１５ｄにより当接部３ｂの浮き上がりが阻止される。
【００２６】
また、当接部１３ｂの浮き上がりが防止されると、フランジ取り付け面１５ｃに沿って、フランジ１３が取り付けられるため、このフランジ取付け面１５ｃに対して垂直に駆動ユニット１１が取り付けれれる。
【００２７】
一方、フランジ１３は、腕部１５ｄとフランジ取り付け面１５ｃとの間に当接部１３ｂを滑り込ませることにより、絞り地板１５に取り付けられている。このため、ビス１４のねじ込みを緩めることにより、ステッピングモータ１２に固定されたフランジ１３をビス穴部１５ａ周りに回転させることができる。これにより、ステッピングモータ１２の絞り地板１５に対する取付位置を回転調整することができる。
【００２８】
本実施形態のフランジ１３は、従来技術と異なり絞り地板に取り付けた時に大きく変形しない。したがって、フランジの変形による駆動ユニットの回転微調整が困難になることもない。しかも、本実施形態では、１本のビスを使用して駆動ユニットを取り付けているため、従来技術のように２つのビスを用いる場合に比べて光量調節装置の組み立て作業を容易にすることができる。また、２つのビスを用いる場合に比べると、ビス１つ分を省略できるため、光量調節装置の小型化および低コスト化を図ることができる。
【００２９】
（第２実施形態）
本発明の第２実施形態である光量調節装置について説明する。本実施形態では、第１実施形態における絞り地板１５のうち腕部１５ｄに相当する構成が異なっている。他の構成については、第１実施形態と同様であるので同一符号を付して説明を省略する。
【００３０】
以下、図８を用いて本実施形態の光量調節装置について説明する。図６は、絞り地板１５の正面側斜視図（ａ）および背面側斜視図（ｂ）である。
【００３１】
絞り地板１５に形成されたフランジ取付け面１５ｃの端部には、フランジ取付け面１５ｃに対して突出する凸部１５ｅが設けられている。そして、凸部１５ｅの基端には、フランジ１３の一端である当接部１３ｂが挿入される穴部１５ｆ(差込部)が形成されている。ここで、穴部１５ｆの幅における、短尺方向の長さ(図８中のａの長さ)は当接部１３ｂの厚みと略等しく、長尺方向の長さ(図８中のｂの長さ)は当接部１３ｂの幅の長さよりも若干長くなっている。
【００３２】
上述した構成において、駆動ユニット１１を絞り地板１５に取り付ける方法について説明する。
【００３３】
まず、駆動ユニット１１の軸受け部１２ｂを、絞り地板１５の嵌合穴部１５ｂに挿入させるとともに、フランジ１３の当接部１３ｂを穴部１５ｆに挿入させて、フランジ１３と絞り地板１５のフランジ取付け面１５ｃとを当接させる。そして、フランジ１３に形成されたビス穴部１３ａと、絞り地板１５に形成されたビス穴部１５ａとの位置を合わせて、これらのビス穴部１３ａ、１５ａにビス１４をねじ込むことにより、駆動ユニット１１を絞り地板１５に固定させる。
【００３４】
ここで、ビス１４をビス穴部１３ａ、１５ａにねじ込むと、フランジ１３が煽られてフランジ１３の当接部１３ｂ側がフランジ取付け面１５ｃを含む平面から浮き上がることがある。しかし、本実施形態では、当接部１３ｂが穴部１５ｆに入り込んでいるため、この穴部１５ｆにより当接部１３ｂの浮き上がりが阻止される。
【００３５】
このため、駆動ユニット１１は、絞り地板１５のフランジ取付け面１５ｃに対して垂直に取り付けられることになり、フランジ１３はフランジ取付け面１５ｃに沿って配置されることになる。
【００３６】
また、上述のように穴部１５ｆの幅における長尺方向の長さは、当接部１３ｂの幅の長さよりも若干長くなっている。したがって、ビス１４のねじ込みを緩めることにより、ステッピングモータ１２に固定されたフランジ１３をビス穴部１５ａ周りに回転させることができる。これにより、ステッピングモータ１２の絞り地板１５に対する取付位置を回転調整することができる。  なお、上述した第１、第２実施形態の光量調節装置は、フィルムカメラやデジタルカメラ等の撮影装置やこれらに用いられる交換レンズ等の光学機器に搭載することができる。
【００３７】
【発明の効果】
本発明によれば、最低１本のビスを使用すれば、浮きを防止してステッピングモータを絞り地板に取り付けることができる。
【００３８】
また、ビスを緩めることで、絞り地板に取り付けられたステッピングモータの取付位置を簡単に回転調整することができる。
【図面の簡単な説明】
【図１】第１実施形態の光量調節装置が組み込まれたカメラの正面側斜視図である。
【図２】第１実施形態である光量調節装置の分解斜視図である
【図３】第１実施形態における絞り地板１５の正面図（ａ）および側面図（ｂ）である。
【図４】第１実施形態における絞り地板１５の斜視図（ａ、ｂ）である。
【図５】第１実施形態において、駆動ユニット１１を絞り地板１５に取り付ける際の説明図である。
【図６】第１実施形態における駆動ユニットの側面図である。
【図７】第１実施形態における駆動ユニットの上面図である。
【図８】第２実施形態における絞り地板の斜視図（ａ、ｂ）である。
【図９】従来技術における光量調節装置の斜視図である。
【図１０】従来技術における光量調節装置の分解側面図である。
【図１１】従来技術における光量調節装置の分解側面図である。
【符号の説明】
１  カメラ本体
２  レンズ鏡筒
３  レリーズボタン
４  ストロボ
５  測光部
６  ファインダ
１１  駆動ユニット
１２  ステッピングモータ
１３  フランジ
１５  絞り地板
【図１】
2004191772.tif 000003
【図２】
2004191772.tif 000004
【図３】
2004191772.tif 000005
【図４】
2004191772.tif 000006
【図５】
2004191772.tif 000007
【図６】
2004191772.tif 000008
【図７】
2004191772.tif 000009
【図８】
2004191772.tif 000010
【図９】
2004191772.tif 000011
【図１０】
2004191772.tif 000012
【図１１】
2004191772.tif 000013